(57)【特許請求の範囲】
【請求項１】
爆音機と、
爆音機を収納可能な箱体と、
爆音機の爆発筒と連設されると共に、その先端部に逆止弁を備えたパイプ体と、
により成る水中爆音機。
【請求項２】
爆発筒とパイプ体の間にダクトを介在させた請求項１に記載の水中爆音機。
【請求項３】
逆止弁を、上面にパイプ体を嵌め込み可能な筒部を有し、側面が開放されたボックスに押しバネを設け、当該押しバネが板体をパイプ体開口部に押圧する構造に設けた請求項１又は請求項２に記載の水中爆音機。
【請求項４】
箱体の内面に防音材を敷設した請求項１乃至請求項３いずれかに記載の水中爆音機。
【発明の詳細な説明】
【技術分野】
【０００１】
本発明は、海苔など藻類養殖場などにおいて、クロダイやメジナ等の魚類による食害を防ぐために用いられる爆音機に関する。
【背景技術】
【０００２】
養殖場での海苔の育苗時において、海苔網に種付けして発芽した育苗初期の幼芽をクロダイやメジナ等の魚類が食べることによる食害が発生しており、生産者に大きな被害を与えている。
【０００３】
かかる事態を防ぐため、海苔網の底面、前後、左右に防魚網を張る方法が採られることがあるが、防魚網の取り付け取り外し作業は重労働であり、作業者にとって大きな負担となっている。
【０００４】
特許文献１には、魚類を威嚇できるレベルの音圧で互いに異なる複数の周波数帯域の音を水中に発生する水中スピーカーを備え、その音源から前記周波数の高い側の音と低い側の音とを交互に放音するように構成された魚類の防除装置が開示されている。
【０００５】
特許文献２には、水中スピーカーから一定の間隔で、魚類が忌避するイルカの発する音声や、サイレン、打撃音等を放音するように構成された魚類の防除装置が開示されている。
【０００６】
特許文献３には、水中音波の発射間隔、発射幅を変化させることで魚の音に対する慣れを防止して魚群を威嚇する食害防止方法が開示されている。
【先行技術文献】
【特許文献】
【０００７】
【特許文献１】特開２００４−３５７５４５号公報
【特許文献２】特開２００２−２４７９２６号公報
【特許文献３】特開昭４９−２４７９０号公報
【発明の概要】
【発明が解決しようとする課題】
【０００８】
海苔など藻類養殖場における魚類による食害を防ぐため、本願出願人は爆音機を転用できないかを鋭意研究してきた。ここに爆音機とはＬＰガス等の可燃ガスを、電子コントローラ制御の下、爆発筒内で爆発させ爆音を発生させる装置をいい、農耕地や果樹園等に有害鳥獣が侵入することを防止するために汎用されている装置である。
【０００９】
かかる爆音機を海上に設置し、爆発筒から延設されたパイプを海中に沈め、海中に向け爆音や衝撃波を発生させる実験を行ったところ、パイプ部分が外れるという事態が頻発した。係る事態に至ると、魚類による食害を防止できないのみならず、空中に向け爆発音が発せられることによる周辺住民等からの苦情が寄せられるという問題点が生じた。
【００１０】
また、パイプから海中に向け爆発音が発せられても、パイプ先端が向いている方向、多くの場合は海底方向に向けて爆音や衝撃波が向かってしまい、藻類養殖に用いられる海苔網が設置されている水深２０センチメートル程度の海水域に向けて、効率的に衝撃波等を発射出来ないという問題点もある。
【００１１】
そこで本発明は、上記問題点、すなわち爆発による衝撃で爆音等を海水内に伝えるパイプが外れてしまうこと、及び浅海域に衝撃波等を発射できないことを解決可能な水中爆音機を提供することを目的とする。
【課題を解決するための手段】
【００１２】
上記の目的を達成するべく鋭意研究した結果、下記の構成により上記課題を解決することが可能となった。
【００１３】
すなわち、請求項１に記載の発明は、爆音機と、爆音機を収納可能な箱体と、爆音機の爆発筒と連設されると共に、その先端部に逆止弁を備えたパイプ体とにより構成した。
【００１４】
また、請求項２記載の発明は、請求項１に記載の水中爆音機において、爆発筒とパイプ体の間にダクトを介在させ構成した。
【００１５】
更には、請求項３記載の発明は、請求項１又は２に記載の水中爆音機において、逆止弁を、上面にパイプ体を嵌め込み可能な筒部を有し、側面が開放されたボックスに押しバネを設け、当該押しバネが板体をパイプ体開口部に押圧する構造に構成した。
【００１６】
請求項４に記載の発明は、請求項１乃至請求項３いずれかに記載の水中爆音機において、箱体の内面に防音材を敷設して構成した。
【発明の効果】
【００１７】
上記のように構成される本発明が、如何に作用して課題を解決するかを図面を参照しながら概説する。
【００１８】
図１、図２は本発明の実施事例を示す説明図であり、図３は本発明の使用状態を示す説明図である。
【００１９】
図３に示すように、水面Ａに浮かんだ船Ｂ内に水中爆音機１０を設置し、図２に示すように爆発筒２１に接続されたパイプ体３０を通じて水中Ｂに爆音や衝撃波を伝えるものである。
【００２０】
この際、パイプ体３０の先端開口部から水を吸い上げ、結果水で栓をしたのと同様の状態が生じ、よって内圧が高まり、爆発に伴いパイプ体３０が爆発筒２１から外れてしまうことが多々生じていた。
【００２１】
そこで、本発明に係る水中爆音機１０はパイプ体３０の先端に逆止弁を取付け、水がパイプ体３０内に入り込むのを防止可能に構成してある。これにより、水が栓をしてしまう状態を回避可能となり、パイプ体３０の離脱を可及的に回避可能となるのである。
【００２２】
更には図１に示すように爆発筒２１とパイプ体３０を直接接続せずに、間にダクト４１を介在させ、ダクト４１パイプ体３０を接続するようにすれば、爆発に伴う接続部位にかかる衝撃を緩和可能となり、パイプ体３０の離脱をより防ぐことが可能となるのである。
【００２３】
請求項３記載の発明においては逆止弁５０を、側面が開放されたボックス形状にすることで浅海域に向かって爆音や衝撃波を噴出するように構成した。すなわち、図６、図７に示すように本発明においてはボックス５１の上面に設けられる筒部５２にパイプ体３０が嵌め込まれ、パイプ体３０、筒部５２を通って矢印方向に爆音や衝撃波が噴射される。そして、噴出口たる筒部５２の下端面５２ａには、押しバネ５４により付勢された板体５３が押圧され、すなわち板体５３が弁の役割を果たしているが、爆音等の噴出により、板体５３は図７に示すように下方に移動する。
【００２４】
そして、噴出される爆音等は板体５３に衝突することでボックス５１の開放された側面５５から平行方向に吐出されることになる。すなわち、海底方向ではなく水面と平行な方向に噴出されることになり、ボックス５１の位置を海中の海面近くに来るようにパイプ体３０の長さを設定すれば、浅海域に向かって衝撃波等の噴出が可能となるのである。
【００２５】
請求項４に記載の発明においては図１に示すように箱体４０の内壁面に防音材４２が敷設されている。これにより、爆発音が外部に漏れることを可及的に抑制可能となり、騒音の発生を低減することが可能となるのである。
【図面の簡単な説明】
【００２６】
【図１】本発明の構成を示す一部破断正面図
【図２】本発明の構成を示す説明図
【図３】使用状態を示す説明図
【図４】爆音機の説明図
【図５】逆止弁の斜視図
【図６】逆止弁の動作を説明する一部破断説明図
【図７】逆止弁の動作を説明する一部破断説明図
【図８】逆止弁の動作を概説する説明図
【図９】逆止弁の動作を概説する説明図
【図１０】逆止弁の動作を概説する説明図
【図１１】逆止弁の動作を概説する説明図
【発明を実施するための形態】
【００２７】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。
【００２８】
本発明に係る水中爆音機１０は、箱体４０、爆音機２０，パイプ体３０を主な構成要素とする。
【００２９】
図１に示すように、箱体４０は防錆性を有する金属製の筐体であり、その内部に防音材４２が敷設してある。防音材４２としては構造用合板と石膏ボード、グラスウール、ロックウール等を組み合わせたものといった汎用品を利用可能である。
【００３０】
箱体４０内にはダクト４１が装備されている。ダクト４１は爆発筒２１を覆う形状に設けられ、その開口端部４１ａは箱体４０外に突出している。
【００３１】
箱体４０内には汎用の爆音機２０が装備されている。
【００３２】
図４は汎用の爆音機２０を示すものである。点火プラグ２３を備えたガス混合管２２が接続された爆発筒２１と、コントローラー２４と、ガス圧力調整器２６ａを備え、プロパンガスを充填したガスボンベ２５と、ガスボンベ２５とガス混合管２２を結ぶ燃料供給パイプ２８と、コントローラー２４と点火プラグ２３を結ぶ高電圧導線２９、およびコントローラー２４と電磁弁２６ｂを結ぶ導線２９とから構成されている。むろんこれは一例であり、船に積載することに適合するよう、重いガスゴンベ２５に代えカセット式のガスボンベを利用しても良い。
【００３３】
パイプ体３０はジャバラ式の樹脂パイプ等を利用可能である。パイプ体３０の一方端は図２に示すように爆発筒２１の爆音吐出部２１ａに直接接続してバンド部材３１で緊締しても良いし、図１に示すようにダクト４１の開口された端部４１ａに接続してバンド部材３１で緊締しても構わない。
【００３４】
パイプ体３０の他方端には逆止弁が装備される。逆止弁としては汎用のものを利用可能である。例えば図８、図９に示されるようなリフト式逆止弁６０や、図１０、図１１に示されるスイング式逆止弁などである。
【００３５】
図８は爆音等の噴出時の状態を示すものであり、図９は非噴出時の状態を示すものである。
【００３６】
図８において矢印は爆音等の流れる方向を示している。パイプ体３０から噴出された爆音等は、リフト式逆止弁６０の管路６１を通り弁体６２を図中左方向から押圧する。これにより弁体６２が後退し、通路６３が開かれ、開口部６４から噴出されるものである。
【００３７】
図９において矢印は進入する水の流れを示している。開口部６４から侵入してきた水は管路６１を通り弁体６２を図中右方向から押圧する。これにより弁体６２が左方向に移動し、通路が塞がれ、水の侵入が阻止されるものである。
【００３８】
図１０は爆音等の噴出時の状態を示すものであり、図１１は非噴出時の状態を示すものである。
【００３９】
図１０において矢印は爆音等の流れる方向を示している。パイプ体３０から噴出された爆音等は、スイング式逆止弁６５の管路６６を通り弁体６７を開方向に押圧する。これにより通路６８が開かれ、開口部６９から噴出されるものである。
【００４０】
図１１において矢印は進入する水の流れを示している。開口部６９から侵入してきた水は管路６６を通り弁体６７を閉じる方向に押圧する。これにより通路６８が塞がれ、水の侵入が阻止されるものである。
【００４１】
むろん上記各種逆止弁は一例であり、その他汎用の逆止弁例えばディスク式逆止弁やウエハ式逆止弁なども当然利用可能である。
【００４２】
図５乃至図７は請求項３に記載の逆止弁５０を示すものである。
【００４３】
逆止弁５０は側面５５が開放されたボックス５１の上面に筒部５２が設けられたものである。筒部５２の下端面５２ａはボックス５１内に至る位置まで延設されている。ボックス５１内には上面から底面に至る柱材５６が複数設けられており、当該柱材５６を緩挿する形態で押しバネ５４が装備される。下端面５２ａを塞ぐことで弁の役割を果たす板体５３には孔部（不図示）が設けられ、当該孔部に柱材５６を緩挿することで板体５３は柱材５６に沿って摺動可能に設けられている。そして押しバネ５４は板体５３を下方から押圧するので、板体５３は下端面５２ａを塞ぐことが可能となるのである。
【００４４】
尚、図５においてはボックス５１は側面５５のみならず底面５７も開放されている。これは噴出される衝撃波等により板体５３が容易に下方に移動することを可能とするため、すなわち、抵抗を少なくするためである。
【符号の説明】
【００４５】
１０・・水中爆音機      ２０・・爆音機      ２１・・爆発筒
３０・・パイプ体        ４０・・箱体        ４１・・ダクト
４２・・防音材          ５０・・逆止弁
【要約】      （修正有）【課題】爆発による衝撃で爆音等を海水内に伝えるパイプが外れてしまうこと、及び浅海域に衝撃波等を発射できないことを解決可能な水中爆音機を提供する。【解決手段】爆音機２０と、爆音機を収納可能な箱体４０と、爆音機の爆発筒２１と連設されると共に、その先端部に逆止弁を備えたパイプ体３０とにより構成した。【選択図】図１【図１】
0005829773.tif 000002
【図２】
0005829773.tif 000003
【図３】
0005829773.tif 000004
【図４】
0005829773.tif 000005
【図５】
0005829773.tif 000006
【図６】
0005829773.tif 000007
【図７】
0005829773.tif 000008
【図８】
0005829773.tif 000009
【図９】
0005829773.tif 000010
【図１０】
0005829773.tif 000011
【図１１】
0005829773.tif 000012